(57)【要約】  遮断器（２ａ、２ｂ）が収納された遮断器室（２０ａ、２０ｂ）、遮断器（２ａ、２ｂ）に接続される母線（４）が収納された母線室（４０）、遮断器（２ａ、２ｂ）に接続されるケーブル（３）が収納されたケーブル室（３０）、及び遮断器（２ａ、２ｂ）の開閉を制御する制御機器が収納された制御室（５０ａ、５０ｂ）を筺体（１０）の内部に備え、遮断器室（２０ａ、２０ｂ）が多段に設けられたスイッチギヤ（１）であって、最下段の遮断器室（２０ａ）の前方に設けられた扉（１１）と遮断器室（２０ａ）との間を覆う額縁状のカバーを備え、このカバーの上辺部（１１０）を除く少なくとも一部を着脱可能とした。
2020059001.tif 000002
【特許請求の範囲】
【請求項１】
遮断器が収納された遮断器室、
前記遮断器に接続される母線が収納された母線室、
前記遮断器に接続されるケーブルが収納されたケーブル室、
及び前記遮断器の開閉を制御する制御機器が収納された制御室を筺体の内部に備え、前記遮断器室が多段に設けられたスイッチギヤであって、
最下段の前記遮断器室の前方に設けられた扉と前記遮断器室との間を覆う額縁状のカバーを備え、前記カバーの上辺部を除く少なくとも一部を着脱可能としたスイッチギヤ。
【請求項２】
前記カバーの少なくとも隣り合う２辺を着脱可能とした請求項１に記載のスイッチギヤ。
【請求項３】
前記着脱可能なカバーの部位は前記遮断器室の前方に取り付けられた本体部と前記筺体の前面を越えて前記扉の方向に突き出した突出部とを備えた請求項１または２に記載のスイッチギヤ。
【請求項４】
前記カバーの下辺部は着脱可能であり、前記遮断器室の前方に取り付けられた本体部と前記筺体の前面を越えて前記扉の方向に突き出した突出部とを備え、前記本体部は前記遮断器の搭載された台座と前記筺体の前面との間に挿入されて固定された請求項１から３のいずれか１項に記載のスイッチギヤ。
【発明の詳細な説明】
【技術分野】
【０００１】
本願は、スイッチギヤに関する。
【背景技術】
【０００２】
受変電設備においては、負荷電流或いは事故電流を遮断するための遮断器を筺体に収納したスイッチギヤが設置されている。スイッチギヤは、例えば、特許文献１に示すように、遮断器の収納された遮断器室、遮断器と導体を介して接続される母線の収納された母線室、ケーブルの収納されたケーブル室、制御機器等の収納された制御室等が、区画形成されて筺体に収納されている。【０００３】
また、制御室が図示されていないが、特許文献２には遮断器が筺体の前方に２段で配置されている構成が開示されている。
【先行技術文献】
【特許文献】
【０００４】
【特許文献１】特開２０１３−１９２３６９号公報
【特許文献２】特開２０１６−４６８４１号公報
【発明の概要】
【発明が解決しようとする課題】
【０００５】
一般に、特許文献１のスイッチギヤのように、制御室が遮断器室の上方に配置されるが、遮断器が１台の場合は、遮断器室下方の空間をメンテナンス用のスペースとして利用し、制御室への配線の引き込みを容易に行うことができる。しかし、特許文献２のように遮断器が多段になると、空間に制限が生じ、配線の作業性が悪いという問題があった。【０００６】
また、遮断器室および遮断器室下方のメンテナンス室には扉が設けられ、扉と筺体の近傍には筺体内部で事故が発生した時の内部アークによる高温高圧ガスの放出を防ぐためのカバーが設置されており、遮断器が多段になると遮断器下方の空間が狭くなるだけでなく、カバーによっても作業性は著しく低下してしまう。【０００７】
本願は、上記の課題を解決するための技術を開示するものであり、遮断器室が多段に配置されていても、制御室への配線作業性を確保することが可能なスイッチギヤを提供することを目的とする。
【課題を解決するための手段】
【０００８】
本願に開示されるスイッチギヤは、遮断器が収納された遮断器室、前記遮断器に接続される母線が収納された母線室、前記遮断器に接続されるケーブルが収納されたケーブル室、及び前記遮断器の開閉を制御する制御機器が収納された制御室を筺体の内部に備え、前記遮断器室が多段に設けられたスイッチギヤであって、最下段の前記遮断器室の前方に設けられた扉と前記遮断器室との間を覆う額縁状のカバーを備え、前記カバーの上辺部を除く少なくとも一部を着脱可能としたものである。
【発明の効果】
【０００９】
本願に開示されるスイッチギヤによれば、多段の遮断器室のうち最下段の前記遮断器室には、下段の前記遮断器室の前方に設けられた扉と前記遮断器室との間を覆う額縁状のカバーを備え、前記カバーの上辺部を除く少なくとも一部を着脱可能としたので、カバーがあっても制御室への配線作業性を確保することが可能となる。
【図面の簡単な説明】
【００１０】
【図１】実施の形態１に係るスイッチギヤの構成を示す側面図である。
【図２】実施の形態１に係るスイッチギヤの下段遮断器室の構造図で、カバーの上辺部を除く部位を取り外した状態を示す図である。
【図３】図２においてカバーを取り付けた状態を示す図である。
【図４】実施の形態１に係るスイッチギヤのカバー左辺部の構造図である。
【図５】実施の形態１に係るスイッチギヤのカバー右辺部の構造図である。
【図６】実施の形態１に係るスイッチギヤのカバー下辺部の前方側に部位の構造図である。
【図７】実施の形態１に係るスイッチギヤのカバー下辺部の後方側の部位の構造図である。
【図８】図６のカバー下辺部前方側の部位と図７のカバー下辺部後方側の部位をセットする工程図である。
【図９】実施の形態１に係るスイッチギヤのカバー下辺部が固定された状態を示す一部断面図である。
【図１０】実施の形態２に係るスイッチギヤの構成を示す側面図である。
【発明を実施するための形態】
【００１１】
以下、本実施の形態について図を参照して説明する。なお、各図中、同一符号は、同一または相当部分を示すものとする。
【００１２】
実施の形態１．
以下、実施の形態１に係るスイッチギヤについて図を用いて説明する。
図１は、実施の形態１に係るスイッチギヤの構成を示す右側面図である。図において、スイッチギヤ１は、筺体１０の内部に複数のコンパートメントを有し、概ね遮断器室２０ａ、２０ｂ、母線室４０、ケーブル室３０、制御室５０ａ、５０ｂに区分されている。本例は、遮断器として真空遮断器（Vacuum Circuit Breaker）を２台備えた例である。
【００１３】
下段の遮断器２ａは、遮断器室２０ａに収納され、一端はブッシングを介してケーブル室３０内のケーブル３に、他端はブッシングを介して母線室４０内の母線４に接続される。遮断器２ａの開閉を制御する機器を収納した制御室５０ａには、筺体１０の下方から配線５１が引き回され、接続される。同様に、上段の遮断器２ｂは、遮断器室２０ｂに収納され、一端はブッシングを介してケーブル室３０内のケーブルに、他端はブッシングを介して母線室４０内の母線４に接続される。遮断器２ｂの開閉を制御する機器を収納した制御室５０ｂには外部より、筺体１０の下方から配線５１が引き回され、接続される。
【００１４】
図２は、図１の下段の遮断器室２０ａの構造図で、遮断器２ａを省略し、また後述するカバーを取り外した状態を示す図である。但し、カバー上辺部１１０は遮断器室２０ａに固定されている。遮断器室２０ａの前方には、筺体１０の片側前面に固定され、開閉する扉１１が設けられ、閉じるときは扉１１の遮断器室２０ａ側の周辺が筺体１０またはカバーに当接する。断器室２０ａ内には、遮断器２ａを搭載する台座２１が設けられ、引き出し式の遮断器２ａが円滑に引き出せるように台座２１の遮断器２ａの搭載面が筺体１０の前面上端部より上方に位置する。台座２１の下方及び遮断器室内面両側には空間があり、制御用の配線５１を引き回すことができる。
【００１５】
図３は、図２に示された下段の遮断器室２０ａにカバーを取り付けた状態を模式的に示した図である。図中下段の遮断器室２０ａの左側にはカバー左辺部１２０を、右側にはカバー右辺部１３０を下側にはカバー下辺部１４０を図示しており、それぞれ矢印に示すように遮断器室２０ａの周辺部にねじ等で脱着可能に取り付けられる。このように取り付けられると、カバー上辺部１１０と合わせて額縁状のカバーとなる。
また、いずれのカバー部品も例えば筺体と同じ鉄等で構成することができる。
【００１６】
カバー左辺部１２０の構造を図４に示す。図中（ｂ）は正面図、（ａ）は裏面図、（ｃ）は（ｂ）中Ａ方向から見た側面図、（ｄ）は（ｂ）中Ｂ方向から見た断面図である。断面図（ｄ）からわかるように、カバー左辺部１２０は平板を折り曲げて構成され、遮断器室２０ａに沿い、遮断器室２０ａの前方に取り付けられる本体部１２１と、本体部１２１から扉側に突き出した突出部１２２とを有する。
カバー右辺部１３０の構造を図５に示す。図中（ａ）は正面図、（ｂ）は（ａ）中Ａ方向から見た側面図、（ｃ）は（ａ）中Ｂ方向から見た断面図である。断面図（ｃ）からわかるように、カバー右辺部１３０はカバー右辺部１３０も平板を折り曲げて構成され、遮断器室２０ａに沿い、遮断器室２０ａの前方に取り付けられる本体部１３１と、本体部１３１から扉側に突き出した突出部１３２とを有する。
【００１７】
カバー下辺部１４０の構造を図６から図８に示す。カバー下辺部１４０は２つの部品から構成され、図６はカバー下辺部１４０のうち前方側のもので、図中（ａ）は上方からみた斜視図、（ｂ）は上面図、（ｃ）は正面図で図中Ａ方向から見たものが（ｂ）である。（ｄ）は（ｃ）中Ｂ方向から見た断面図である。断面図（ｄ）からわかるように、カバー下辺部１４０の前方側の部品も平板を折り曲げて構成され、遮断器室２０ａに沿い、遮断器室２０ａの前方に取り付けられる本体部１４１と、本体部１４１から扉側に突き出した突出部１４２とを有する
図７は、カバー下辺部１４０のうち後方側のもので、図中（ａ）は上方からみた斜視図、（ｂ）は上面図、（ｃ）は正面図で側部は遮断器室２０ａ側に曲げられている。図８にカバー下辺部１４０の前方側部品と後方側部品の組み立て方法を示すが、後方側の部品である背面部１４３は、前方側の部品の本体部１４１の裏面に例えばリベット留め等の手法により固定されて本体部として一体化される。なお、背面部１４３は後述するカバー下辺部１４０の取り付けのために、本体部１４１よりも下方に長くなっている。
【００１８】
図４から図８で説明した、カバー左辺部１２０、カバー右辺部１３０、カバー下辺部１４０のそれぞれ本体部は図３において取り付けられた時に左上から右下方向に向かう線のハッチングで示し、それぞれの突出部は左下から右上方向に向かう線のハッチングで示しており、カバー上辺部１１０と合わせて突出部が筺体１０の前方側に突き出している。
【００１９】
図９は、カバー下辺部１４０の取り付けられた部位を示す、スイッチギヤの一部側断面図である。扉１１は前面部１１ａとは反対の内側周辺に内枠部１１ｂを有し、内枠部１１ｂは扉１１が閉じた時に筺体１０またはカバーに当接する。扉１１の前面部１１ａ裏面には内枠部１１ｂとの間に扉レバー等の部品が配置されている（図２参照）。台座２１は筺体１０の前方側と離間されて底部に固定されており、カバー下辺部１４０は、その背面部１４３が台座２１と筺体１０の前方側との隙間に挿入されて固定され、本体部１４１は筺体１０の前面部の上部に載るようにして配置され、突出部１４２が扉の内枠部１１ｂを跨いで扉の前面部１１ａ方向に突出している。カバー下辺部１４０は例えば本体部１４１の中央及び本体部１４１の折り曲げられた両側部が遮断器室２０ａにねじ等で脱着可能に取り付けられる。
このカバー下辺部の突出部１４２が扉１１と遮断器室２０ａとの間を覆うので、遮断器室の事故によりアークが発生しても高温高圧のガスは突出部１４２に当たるため、扉１１と遮断器室２０ａとの間から直接漏れることがなく、突出部１４２を回り込まないと放出されないようになる。
【００２０】
図９の構造でカバー下辺部１４０により遮断器室の事故によりアークが発生しても高温高圧のガスが、扉１１と遮断器室２０ａとの間から直接漏れないことを示したが、カバー左辺部１２０及びカバー右辺部１３０も同様の機能を有する。すなわち、図３のように、カバー左辺部１２０の本体部１２１は遮断器室２０ａ内で固定されるが、突出部１２２は筺体１０の前面と扉の内枠部１１ｂとを跨ぐように扉前面部１１ａ側に突き出しているので、遮断器室の事故によりアークが発生しても高温高圧のガスが、扉１１と遮断器室２０ａとの間から直接漏れることはない。また、カバー右辺部１３０の本体部１３１は遮断器室２０ａ内で固定されるが、突出部１３２は筺体１０の前面と扉の内枠部１１ｂとを跨ぐように扉前面部１１ａ側に突き出しているので、遮断器室の事故によりアークが発生しても高温高圧のガスが、扉１１と遮断器室２０ａとの間から直接漏れることはない。
【００２１】
図３において、カバーはカバー上辺部１１０を除く、カバー左辺部１２０、カバー右辺部１３０、カバー下辺部１４０が全て脱着可能である例を示したが、カバーはカバー上辺部１１０を除くいずれかの辺が脱着可能であればよい。
例えば、図２で筺体１０内の空間２２を示しているが、両側部には各遮断器室２０ａ、２０ｂとの間に配線用の空間があり、台座２１の下部にも空間がある。そのため、カバー左辺部１２０、カバー右辺部１３０のいずれかを外すことができれば、下方に配置した配線を上方に引き回すことが可能となる。また、カバー下辺部１４０を外すことができれば、台座２１の下方の空間は側面部より余裕があり、下部での引き回しが容易となり、両側面まで配線を引き回すことができる。その後、押し上げることで上方への配線が可能となる。台座２１の下方の空間は側面部より余裕があるので、少なくともカバー下辺部１４０を着脱可能とし、カバー左辺部１２０及びカバー右辺部１３０のいずれかを着脱可能とすれば作業性が向上する。すなわち、上辺部を除く隣り合う２つの辺で脱着可能とすればよい。
【００２２】
以上のように、本実施の形態１では２段の遮断器室２０ａ、２０ｂのうち下段の遮断器室２０ａには、下段の遮断器室２０ａの前方に設けられた扉１１と遮断器室２０ａとの間を覆う額縁状のカバーを備え、カバー上辺部１１０を除く少なくとも一部を着脱可能としたので、配線時には着脱可能なカバーを外せば制御室５０ａ、５０ｂへの配線作業性を確保することが可能となる。
【００２３】
なお、カバー下辺部１４０は２つの部品で構成される例を示したが、１つの部品で構成してもよい。カバー下辺部１４０の前方側の本体部１４１の両側部を背面部１４３のように折り曲げることで構成することが可能である。
【００２４】
実施の形態２．
以下、実施の形態２に係るスイッチギヤについて図１０を用いて説明する。
図１０は、実施の形態２に係るスイッチギヤの構成を示す正面図で、実施の形態１と異なるのは、遮断器２ａ、２ｂの開閉制御を行う機器が共通化され、あるいは機器の両方が制御室５０に収納され、制御室が１つである点である。このような構成においても、実施の形態１と同様に、２段の遮断器室２０ａ、２０ｂのうち下段の遮断器室２０ａには、下段の遮断器室２０ａの前方に設けられた扉１１と遮断器室２０ａとの間を覆う額縁状のカバーを備え、カバー上辺部１１０を除く少なくとも一部を着脱可能とすれば、配線時には着脱可能なカバーを外せば制御室５０への配線作業性を確保することが可能となる。
【００２５】
なお、実施の形態１及び２では遮断器室が２段の例を示したが、３段以上備えていてもよい。その場合、少なくとも最下段の遮断器室のカバーを脱着可能とすればよい。他の段も脱着可能であってもよい。
【００２６】
本開示は、様々な例示的な実施の形態及び実施例が記載されているが、１つ、または複数の実施の形態に記載された様々な特徴、態様、及び機能は特定の実施の形態の適用に限られるのではなく、単独で、または様々な組み合わせで実施の形態に適用可能である。
従って、例示されていない無数の変形例が、本願明細書に開示される技術の範囲内において想定される。例えば、少なくとも１つの構成要素を変形する場合、追加する場合または省略する場合、さらには、少なくとも１つの構成要素を抽出し、他の実施の形態の構成要素と組み合わせる場合が含まれるものとする。
【符号の説明】
【００２７】
１：スイッチギヤ、  ２ａ、２ｂ：遮断器、  ３：ケーブル、  ４：母線、  １０：筺体、  １１：扉、  １１ａ：前面部、１１ｂ：内枠部、  ２０ａ、２０ｂ：遮断器室、  ２１：台座、  ２２：空間、  ３０：ケーブル室、  ４０：母線室、  ５０、５０ａ、５０ｂ：制御室、  ５１：配線、  １１０：カバー上辺部、  １２０：カバー左辺部、  １２１：本体部、  １２２：突出部、  １３０：カバー右辺部、  １３１：本体部、  １３２：突出部、  １４０：カバー下辺部、  １４１：本体部、  １４２：突出部、１４３：背面部
【図１】
2020059001.tif 000003
【図２】
2020059001.tif 000004
【図３】
2020059001.tif 000005
【図４】
2020059001.tif 000006
【図５】
2020059001.tif 000007
【図６】
2020059001.tif 000008
【図７】
2020059001.tif 000009
【図８】
2020059001.tif 000010
【図９】
2020059001.tif 000011
【図１０】
2020059001.tif 000012
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
遮断器が収納された遮断器室、
前記遮断器に接続される母線が収納された母線室、
前記遮断器に接続されるケーブルが収納されたケーブル室、
及び前記遮断器の開閉を制御する制御機器が収納された制御室を筺体の内部に備え、前記遮断器室が多段に設けられたスイッチギヤであって、
最下段の前記遮断器室の前方に設けられた扉と前記遮断器室との間を覆い、前記遮断器室の前方で前記遮断器に沿って取り付けられた左辺部、右辺部、下辺部及び上辺部から構成された額縁状のカバーを備え、前記カバーの前記上辺部を除く少なくとも一部を着脱可能としたスイッチギヤ。
【請求項２】
前記カバーの少なくとも隣り合う２辺を着脱可能とした請求項１に記載のスイッチギヤ。
【請求項３】
前記着脱可能なカバーの部位は前記遮断器室の前方に取り付けられた本体部と前記筺体の前面を越えて前記扉の方向に突き出した突出部とを備えた請求項１または２に記載のスイッチギヤ。
【請求項４】
前記カバーの下辺部は着脱可能であり、前記遮断器室の前方に取り付けられた本体部と前記筺体の前面を越えて前記扉の方向に突き出した突出部とを備え、前記本体部は前記遮断器の搭載された台座と前記筺体の前面との間に挿入されて固定された請求項１から３のいずれか１項に記載のスイッチギヤ。
【手続補正２】
【補正対象書類名】明細書
【補正対象項目名】０００８
【補正方法】変更
【補正の内容】
【０００８】
本願に開示されるスイッチギヤは、遮断器が収納された遮断器室、前記遮断器に接続される母線が収納された母線室、前記遮断器に接続されるケーブルが収納されたケーブル室、及び前記遮断器の開閉を制御する制御機器が収納された制御室を筺体の内部に備え、前記遮断器室が多段に設けられたスイッチギヤであって、最下段の前記遮断器室の前方に設けられた扉と前記遮断器室との間を覆い、前記遮断器室の前方で前記遮断器に沿って取り付けられた左辺部、右辺部、下辺部及び上辺部から構成された額縁状のカバーを備え、前記カバーの前記上辺部を除く少なくとも一部を着脱可能としたものである。
【手続補正３】
【補正対象書類名】明細書
【補正対象項目名】００１０
【補正方法】変更
【補正の内容】
【００１０】
【図１】実施の形態１に係るスイッチギヤの構成を示す側面図である。
【図２】実施の形態１に係るスイッチギヤの下段遮断器室の構造図で、カバーの上辺部を除く部位を取り外した状態を示す図である。
【図３】図２においてカバーを取り付けた状態を示す図である。
【図４】実施の形態１に係るスイッチギヤのカバー左辺部の構造図である。
【図５】実施の形態１に係るスイッチギヤのカバー右辺部の構造図である。
【図６】実施の形態１に係るスイッチギヤのカバー下辺部の前方側の部位の構造図である。
【図７】実施の形態１に係るスイッチギヤのカバー下辺部の後方側の部位の構造図である。
【図８】図６のカバー下辺部前方側の部位と図７のカバー下辺部後方側の部位をセットする工程図である。
【図９】実施の形態１に係るスイッチギヤのカバー下辺部が固定された状態を示す一部断面図である。
【図１０】実施の形態２に係るスイッチギヤの構成を示す側面図である。
【手続補正４】
【補正対象書類名】明細書
【補正対象項目名】００１４
【補正方法】変更
【補正の内容】
【００１４】
図２は、図１の下段の遮断器室２０ａの構造図で、遮断器２ａを省略し、また後述するカバーを取り外した状態を示す図である。但し、カバー上辺部１１０は遮断器室２０ａに固定されている。遮断器室２０ａの前方には、筺体１０の片側前面に固定され、開閉する扉１１が設けられ、閉じるときは扉１１の遮断器室２０ａ側の周辺が筺体１０またはカバーに当接する。断器室２０ａ内には、遮断器２ａを搭載する台座２１が設けられ、引き出し式の遮断器２ａが円滑に引き出せるように台座２１の遮断器２ａの搭載面が筺体１０の前面上端部より上方に位置する。台座２１の下方及び遮断器室内面両側には空間２２があり、制御用の配線５１を引き回すことができる。
【手続補正５】
【補正対象書類名】明細書
【補正対象項目名】００１６
【補正方法】変更
【補正の内容】
【００１６】
カバー左辺部１２０の構造を図４に示す。図中（ｂ）は正面図、（ａ）は裏面図、（ｃ）は（ｂ）中Ａ方向から見た側面図、（ｄ）は（ｂ）中Ｂ方向から見た断面図である。断面図（ｄ）からわかるように、カバー左辺部１２０は平板を折り曲げて構成され、遮断器室２０ａに沿い、遮断器室２０ａの前方に取り付けられる本体部１２１と、本体部１２１から扉側に突き出した突出部１２２とを有する。
カバー右辺部１３０の構造を図５に示す。図中（ａ）は正面図、（ｂ）は（ａ）中Ａ方向から見た側面図、（ｃ）は（ａ）中Ｂ方向から見た断面図である。断面図（ｃ）からわかるように、カバー右辺部１３０も平板を折り曲げて構成され、遮断器室２０ａに沿い、遮断器室２０ａの前方に取り付けられる本体部１３１と、本体部１３１から扉側に突き出した突出部１３２とを有する。
【手続補正６】
【補正対象書類名】明細書
【補正対象項目名】００１７
【補正方法】変更
【補正の内容】
【００１７】
カバー下辺部１４０の構造を図６から図８に示す。カバー下辺部１４０は２つの部品から構成され、図６はカバー下辺部１４０のうち前方側のもので、図中（ａ）は上方からみた斜視図、（ｂ）は上面図、（ｃ）は正面図で図中Ａ方向から見たものが（ｂ）である。（ｄ）は（ｃ）中Ｂ方向から見た断面図である。断面図（ｄ）からわかるように、カバー下辺部１４０の前方側の部品も平板を折り曲げて構成され、遮断器室２０ａに沿い、遮断器室２０ａの前方に取り付けられる本体部１４１と、本体部１４１から扉側に突き出した突出部１４２とを有する。
図７は、カバー下辺部１４０のうち後方側のもので、図中（ａ）は上方からみた斜視図、（ｂ）は上面図、（ｃ）は正面図で側部は遮断器室２０ａ側に曲げられている。図８にカバー下辺部１４０の前方側部品と後方側部品の組み立て方法を示すが、後方側の部品である背面部１４３は、前方側の部品の本体部１４１の裏面に例えばリベット留め等の手法により固定されて本体部として一体化される。なお、背面部１４３は後述するカバー下辺部１４０の取り付けのために、本体部１４１よりも下方に長くなっている。
【国際調査報告】
2020059001.tif 000013
2020059001.tif 000014